(57)【要約】【課題】  文書ファイルに記載されている内容と類似する文書を大量の文書データから検索する。【解決手段】  文献表示中の任意の文章（単語、文節、キーワード等含む）を選択するときに、選択の根拠情報を付加するツールを用いて選択すると、その部分を連携対象の別システムの所定のフィールドに自動的に貼り付け、付加された選択の根拠情報を連携する機能を備えることを特徴とする検索装置。【選択図】      図１
2006343972.tif 000002
【特許請求の範囲】
【請求項１】
文献表示中の任意の文章（単語、文節、キーワード等含む）を選択するときに、選択の根拠情報を付加するツールを用いて選択すると、その部分を連携対象の別システムの所定のフィールドに自動的に貼り付け、付加された選択の根拠情報を連携する機能を備えることを特徴とする検索装置。
【請求項２】
請求項１に記載の検索装置において、図番を表している部分を選択すると、同一文書ファイル中の当該の図を表示する機能を備えることを特徴とする検索装置。
【請求項３】
請求項１に記載の検索装置において、文献ファイルを起動したとき、そのファイルに含まれる図番を反転表示し、別ウィンドウでその図を全て表示する機能を備えることを特徴とする停留所検索装置。
【請求項４】
請求項１に記載の検索装置において、選択した任意の文章（単語、文節、キーワード等含む）にマウスカーソルを合わせると、その文章を含む他の文献ファイルを検索し、その件数を表示する機能を備えることを特徴とする検索装置。
【請求項５】
請求項１に記載の検索装置において、任意の単語やキーワードを複数選択すると、それらのキーワードを組み合わせて、他の文献ファイルを検索するための検索式を自動的に導く機能を備えることを特徴とする検索装置。
【請求項６】
請求項５に記載の検索装置において、検索式から検索できる文献ファイルの件数を表示する機能を備えることを特徴とする検索装置。
【請求項７】
文献ファイルを日本語解析した結果を個々のユーザによって修正でき、その修正結果をユーザ個人単位に個人傾向として日本語解析用の辞書に登録する機能を備えることを特徴とする検索装置。
【請求項８】
基となった文献ファイルと検索された文献ファイルを、基となった文献ファイル中の選択された任意の文章とその選択理由に基づいて、関連付けてデータベースに登録する機能であって、検索された文献ファイルが既に当データベースに登録されている場合は、基となった文献ファイルを検索された文献ファイルに関連付けて追加登録する機能を備えることを特徴とする検索装置。
【発明の詳細な説明】
【技術分野】
【０００１】
本発明は、文書ファイルに記載されている内容と類似する文書を大量の文書データから検索する検索装置に関する。
【背景技術】
【０００２】
大量の文献ファイルから、数件乃至10数件にまで絞り込むための検索の環境において、現在は文献ファイルを登録する際に、コード化された「分類」を複数割り当てて、分類コードを検索キーとしている。その検索キーの組合せで文献の絞込みを行っている。また、全文検索による検索も可能である。
【特許文献１】特開２００５−１１１４９号公報
【発明の開示】
【発明が解決しようとする課題】
【０００３】
このような従来の検索において、文献に割り当てる分類コードが固定化されがちで、文献登録時に付与する分類が必ずしも適当でないことがあった。その文献を検索する際に、検索する側で検索キーとして考える分類コードが、登録時に付与されたものと一致しないことがあり、そうすると本来は検索対象となっている文献ファイルが検出できなかったり、何度も検索作業を行うことで目的の文献にたどり着くまでに多くの時間を費やすこともあった。
【０００４】
また、日本語の揺らぎへの対策が取られておらず、同じ意味で違う単語や文章が使われている場合には、検出することができなかった。
【０００５】
従って、本発明の目的は上記事情に鑑み、抽出する文章またはキーワードをそのまま検索フィールドに連携したり、分類予測を行ったりすることで、検索時の利用者の手間を省くこと、過去に検索したものを知識データベースとして登録しておくことで、検索結果の集合からできる限り余分な文献をなくすこと等を実現する検索装置に関する。
【課題を解決するための手段】
【０００６】
上記課題を解決するために、本発明は第一に、文献表示中の任意の文章（単語、文節、キーワード等含む）を選択するときに、選択の根拠情報を付加するツールを用いて選択すると、その部分を連携対象の別システムの所定のフィールドに自動的に貼り付け、付加された選択の根拠情報を連携する機能を備えることを特徴としている。
【０００７】
また、図番を表している部分を選択すると、同一文書ファイル中の当該の図を表示する機能または文献ファイルを起動したとき、そのファイルに含まれる図番を反転表示し、別ウィンドウでその図を全て表示する機能を備えることが好ましい。
【０００８】
そして、選択した任意の文章（単語、文節、キーワード等含む）にマウスカーソルを合わせると、その文章を含む他の文献ファイルを検索し、その件数を表示する機能を備えることが好ましい。
【０００９】
更に、任意の単語やキーワードを複数選択すると、それらのキーワードを組み合わせて、他の文献ファイルを検索するための検索式を自動的に導く機能を備え、得られた検索式から検索できる文献ファイルの件数を表示する機能も併せ持つことが好ましい。
【００１０】
本発明は第二に、文献ファイルを日本語解析した結果を個々のユーザによって修正でき、その修正結果をユーザ個人単位に個人傾向として日本語解析用の辞書に登録する機能を備えることを特徴としている。
【００１１】
本発明は第三に、基となった文献ファイルと検索された文献ファイルを、基となった文献ファイル中の選択された任意の文章とその選択理由に基づいて、関連付けてデータベースに登録する機能であって、検索された文献ファイルが既に当データベースに登録されている場合は、基となった文献ファイルを検索された文献ファイルに関連付けて追加登録する機能を備えることを特徴としている。
【発明の効果】
【００１２】
従って本発明によれば、主に特許文献の検索、図書館等での書籍の探索、捜査資料や裁判判例資料等の探索などの用途において、より短時間で必要とする文書にたどり着くことができるようになる検索装置を提供することができる。
【発明を実施するための最良の形態】
【００１３】
次に、図面を参照して、本発明の実施例に係る検索装置について説明する。
【００１４】
図１を参照して、本発明における第１の実施の形態にかかる検索装置について説明する。この検索装置は、キーワード等を選択すると、連携する他システムで使用するときに、キーワードと選択の根拠を連携する機能を有する。その際、選択根拠用のペンをもって選択すると、起案システムに法令とマークした部分を自動的に連携し、連携対象システムのフォームに自動入力するものである。
【００１５】
そうすることで、文献の内容を引用して複数のシステムで利用する時、再入力の手間を省くことで作業が効率化し、また再入力による転記ミスを防止することができる。また、文献の内容を引用する際の根拠を複数のシステムで利用するときも、根拠として記載する文章が同一であれば、それを自動的に付加することで、作業の効率化を図ることができる。
【００１６】
なお、文献ファイルを起動したとき、そのファイルに含まれる図番を反転表示し、別ウィンドウでその図を全て表示する機能を持たせることもできる。
【００１７】
その結果、文献の内容を理解するときに、ページの異なるところに記載されている図を参照する際、本文と図をスクロールして行ったり来たりするよりも、図番と図が対応付けられて別に表示されていれば、理解が早まるだけでなく、煩わしい操作が必要なくなる。
【００１８】
次は、図２を参照して、本発明における第２の実施の形態にかかる検索装置について説明する。この検索装置は、文献を形態素解析した上で表示する機能、入力されたキーワードを使用している文献件数をダイナミックに表示する機能、図番が含まれるときは、当該図面を表示する機能、を有するものである。
【００１９】
その際、文献を読み込むと形態素分析を行なった上で表示（自動または手動を選択可能）する機能、マウスカーソルを置くと該当するキーワード検索のヒット件数を表示する機能、「第ｎ図」が存在する場合は、この図面を自動的にリンクしてページをめくらなくても図面を見られる機能、を有するものである。
【００２０】
その結果、結果として得られた件数の大小によって、複数の選択した任意の文章を組み合わせて絞り込むか、そのままその文献を検索して中身を読むか判断できる。実際に検索行為を行わずに件数が把握できるので、その分だけ早い段階で判断することが可能となる。
【００２１】
更に、図３ないし図５を参照して、本発明における第３の実施の形態にかかる検索装置について説明する。この検索装置は、文章中のキーワードを選択すると、抽出されたキーワードの入力エリアへ自動的に入力する機能、選択したキーワードを組み合わせて検索を実行する機能を有する。ここで、邦文ではない場合は、図４のように翻訳も実施されて入力がなされる。また、図５のようにシソーラス表示も可能である。
【００２２】
その際、個々のユーザによって辞書を修正し、ユーザ毎の個人傾向として保存する機能、キーワード抽出用のペンをもって選択すると自動的に検索式に入力する機能、単語の修正を行なうと、自動的に上述したユーザ毎の個人傾向に反映する機能（この反映により、次回以降の形態素解析では反映後の辞書を利用する）、検索式を入力するとヒットした文献の数を表示し、併せて番号を指定して全ての文献ファイルを表示する機能を有する。
【００２３】
その結果、検索式を入力する手間を省くことができる。また、「検索ボタンを押下する」等の検索指示を出す前に、自動的に入力された時点で検索の件数だけ表示されることで、さらなるキーワード等を追加して絞込みを行うか、件数分の全ての文献を表示して中身を読むか、すぐに判断をすることができる。
【００２４】
ここで、文献ファイルを日本語解析した結果を個々のユーザによって修正でき、その修正結果をユーザ個人単位に個人傾向として日本語解析用の辞書に登録する機能を有するので、文献を読む個人により、キーワード抽出の単位が異なる場合がある。また、同義語を登録したいこともある。その際にそれを有効とし、ユーザごとに管理することで、ユーザの日本語の癖や特徴を継続的に利用することもできる。
【００２５】
加えて、図６ないし図９を参照して、本発明における第４の実施の形態にかかる検索装置について説明する。この検索装置は、検索した文献ファイルに基となった文献ファイルを関連づけて登録する機能、つまり、基となった文献ファイルと検索された文献ファイルを、基となった文献ファイル中の選択された任意の文章とその選択理由に基づいて、関連付けてデータベースに登録する機能であって、検索された文献ファイルが既に当データベースに登録されている場合は、基となった文献ファイルを検索された文献ファイルに関連付けて追加登録する機能を有する。
【００２６】
その際、検索ネットワークで検索された文献をたどっていき、最終的に検索対象となった文章に関連づけて登録する。これは、これまでに検索の対象となった件数が多いほど、基の文献からの検索対象となる可能性が高いという性質を利用しているものである。例えば、特許審査の例で考えると、拒絶理由等の審査情報を蓄積した「文献ネットワーク」上を検索し、候補リストを表示させることができるとともに、大分け、中分けを利用した類似文献検索を行い、各請求項に対応した類似文献検索と、重要単語を抽出することができる。この重要単語は、類似文献の検索時に発生したものであり、新たな検索にも用いることができる。
【００２７】
その結果、これまでの文献ファイルと検索された文献ファイルを関連情報を基に結び付けて、データベース化することで、以後の文献ファイルの検索時に、早い段階で対象となり得る文献ファイルにたどり着くことができる。このデータベースは、文献を検索した実績を蓄積するので、その情報を使えば使うほどデータが増殖することになる。
【００２８】
なお、選択した文献を中心として図７および図８に表すネットワーク情報を表示できる。更に、特許出願の審査においては、図9に示すようにグラフィック表示も用いることができる。
【００２９】
この他に、この検索装置では、他のシステムと組み合わせることによって、検索結果に基づいて図１０ないし図１２の処理を行なうことも可能である。第1の実施の形態に関連して、図１３のように特許出願書類における請求項の分析もできる。
【図面の簡単な説明】
【００３０】
【図１】本発明の選択根拠の連携を示す図である。
【図２】本発明の文献表示を示す図である。
【図３】本発明の文献検索を示す図である。
【図４】本発明の検索論理式の外国語対応を示す図である。
【図５】本発明の検索論理式のシソーラス対応を示す図である。
【図６】本発明の文献登録を示す図である。
【図７】本発明の支援検索機能を示す図である。
【図８】本発明に用いられる文献ネットワークを示す図である。
【図９】本発明に用いられるグラフィック表示を示す図である。
【図１０】本発明の重要文字列選択を示す図である。
【図１１】本発明の検索装置と連携して表示する画面の一例である。
【図１２】本発明の検索装置と連携して表示する画面の一例である。
【図１３】本発明の検索装置が備えることができる請求項分析の図である。
【図１】
2006343972.tif 000003
【図２】
2006343972.tif 000004
【図３】
2006343972.tif 000005
【図４】
2006343972.tif 000006
【図５】
2006343972.tif 000007
【図６】
2006343972.tif 000008
【図７】
2006343972.tif 000009
【図８】
2006343972.tif 000010
【図９】
2006343972.tif 000011
【図１０】
2006343972.tif 000012
【図１１】
2006343972.tif 000013
【図１２】
2006343972.tif 000014
【図１３】
2006343972.tif 000015